(57)【要約】上面（１０８）、下面（１１２）、４つのコーナ（１１６）及び４つの側面（１０４）を有する部品（１００）を収容、設置、保管及び運搬するためのキャリアテープ（１２２）。テープ（１２２）は、複数のポケット（１２８）を有するストリップ材料（１２４）を備える。各ポケット（１２８）は複数のコーナガイド（１４６）を備え、コーナガイドは、部品（１００）とポケット（１２８）との間で他に接触することなく、部品（１００）をその下側周辺コーナ（１２０）により案内、心出し及び支持するための角のある係合部材（１４８，１５０）を有する。ポケット（１２８）は、部品（１００）がずれる際に、その部品（１００）のコーナ（１１６）と接触するように位置づけられる少なくとも１つの支持棚（１７０）を備えることが可能であり、それによって、ポケット（１２８）内で部品（１００）のさらなる下向きの移動が妨げられる。
2005531465.tif 000002
【特許請求の範囲】
【請求項１】
部品を収容及び設置するためのキャリアテープであって、前記部品は、上面、下面、４つのコーナ、及び、４つの側面を備えた外周を有し、前記４つの側面は、該部品の回りに延びる下側周辺コーナにて前記下面を横断するとともに下面に交差し、前記キャリアテープは、
上面を有する可撓性本体部と、
該可撓性本体部内の複数のポケットであって、前記ポケットは該部品を収容及び閉じ込めるべく位置づけられ、各ポケットは内部、４つのコーナ及び４つのサイドを有し、該コーナのそれぞれは、斜面上に位置づけられる一対の部品接触部を備えるコーナガイドを有し、それにより前記部品接触部が前記ポケットの前記内部に向かって傾斜し、各部品接触部は内部ガイド部、部品設置部及び前記設置部の下方の補助部を備え、該斜面は前記内部ガイド部、前記設置部及び前記補助部を通って連続的であることと
を備え、
前記部品が前記ポケット内に収容されるとともに前記設置部に係合するとき、前記部品の前記下側周辺コーナのみが前記可撓性本体部に接触し、かつ前記部品の他の部分は全て前記可撓性本体部に接触しないキャリアテープ。
【請求項２】
請求項１に係るキャリアテープであって、さらに尾根で交差する直立した第１面及び直立した第２面を備え、該尾根は前記部品接触部を構成するキャリアテープ。
【請求項３】
請求項２に係るキャリアテープであって、前記第１面及び前記第２面は、各部品接触部が前記ポケットの前記最も近い隣接するコーナに向かって曲がるように位置づけられているキャリアテープ。
【請求項４】
請求項３に係るキャリアテープであって、各第２面は前記ポケットサイドをほぼ横断し、該第１面は該第２面と前記最も近いコーナとの中間にあるキャリアテープ。
【請求項５】
請求項１に係るキャリアテープであって、各部品接触部は、前記部品が前記設置位置にあるとき、その部品の前記最も近い下側周辺端面に平行な表面を備えているキャリアテープ。
【請求項６】
請求項５に係るキャリアテープであって、各部品接触部は該最も近い下側周辺端面の前記長さに実質的に延びるキャリアテープ。
【請求項７】
請求項５に係るキャリアテープであって、前記部品ポケットの各サイド上には２つの部品接触部があり、該２つの部品接触部は間隙を介して離れているキャリアテープ。
【請求項８】
請求項７に係るキャリアテープであって、各部品接触部はコーナに隣接するキャリアテープ。
【請求項９】
請求項１に係るキャリアテープであって、前記部品接触部は支持棚を備え、該棚は前記斜面から延びて前記ポケットの前記内部に向かって傾斜し、それによって、前記部品がずれる際に、前記部品の１つ以上のコーナが前記部品のさらなる下方への移動を妨げるように前記棚に接触するキャリアテープ。
【請求項１０】
部品を収容するためのキャリアテープであって、前記部品は、上面、下面、４つのコーナ、及び、４つの側面を備えた外周を有し、前記４つの側面は、該部品の回りに延びる下側周辺コーナにて前記下面を横断するとともに下面に交差し、前記キャリアテープは、
複数のポケットが形成された上面を有する可撓性本体部を備え、各ポケットは複数の部品接触部を備え、各接触部は、前記部品が前記ポケット内に位置づけられるとともにその中に適切に設置される際に、前記部品と係合する少なくとも１つの部品接触面を有し、前記接触部の表面はそれぞれ、前記部品が前記ポケット内に適切に設置される際に、前記上面に対して斜めに位置づけられるとともに、前記部品の前記下側周辺コーナと係合するように配置され、前記部品の他の全ての部分は前記可撓性本体部に接触しないキャリアテープ。
【請求項１１】
請求項１０に係るキャリアテープであって、前記部品接触部の少なくとも１つは、前記部品がずれる際に、前記部品のコーナに接触するように位置づけられる支持棚を備え、それによって、前記ポケット内で前記部品のさらなる下方への移動が妨げられるキャリアテープ。
【請求項１２】
請求項１０のキャリアテープにおいて、前記ポケットはそれぞれ、内部、４つのコーナ及び４つのサイドを有し、前記コーナのそれぞれは一対の部品接触部を備えたコーナガイドを有し、前記部品接触部は前記ポケットの前記内部に向かって傾斜するような斜面上に位置づけられ、各部品接触部は、内部ガイド部、部品設置部、及び、前記設置部の下方の補助部を備え、該斜面は前記内部ガイド部、前記設置部及び前記補助部を通って連続的であり、それによって、前記部品が前記設置部に係合するとき、前記部品の前記下側周辺コーナのみが前記テープの前記可撓性本体部と接触するキャリアテープ。
【請求項１３】
請求項１２のキャリアテープにおいて、各部品接触部は尾根で交差する直立した第１面及び直立した第２面を備えるキャリアテープ。
【請求項１４】
請求項１３のキャリアテープにおいて、前記第１面及び前記第２面は、各部品接触部が前記ポケットの前記最も近い隣接するコーナに向かって曲がるように位置づけられているキャリアテープ。
【請求項１５】
請求項１４のキャリアテープにおいて、各第２面は前記ポケットサイドをほぼ横断し、該第１面は該第２面と前記最も近いコーナとの中間にあるキャリアテープ。
【請求項１６】
部品を収容するためのキャリアテープであって、前記部品は、上面、下面、及び、外周を形成する複数の側面を有し、各側面は、該部品の回りに延びる下側周辺コーナで前記下面に交差し、前記キャリアテープは、
複数のポケットが形成された上面を有する可撓性本体部を備え、各ポケットは、ボトムを有するとともに、前記部品が前記ポケット内に配置されるとき、前記部品がその上に支持されるように前記部品の前記下側周辺コーナと係合する手段を備え、それによって、前記部品の前記下側周辺コーナは前記ボトムから間隙を介して離れるとともに、前記部品の他の全ての部分は前記可撓性本体部に接触しないキャリアテープ。
【請求項１７】
請求項１６に係る集積回路キャリアテープであって、該手段は複数の部品接触部を備え、各接触部は、前記部品が前記ポケット内に位置づけられるとともにその中に適切に配置される際に、前記部品と係合する少なくとも１つの部品接触面を有し、前記接触部の表面はそれぞれ、前記部品が前記ポケット内に適切に設置される際に、前記上面に対して斜めに位置づけられるとともに、前記部品の前記下側周辺コーナと係合するように配置されるキャリアテープ。
【請求項１８】
請求項１７に係るキャリアテープであって、前記部品接触部の少なくとも１つは、前記部品がずれる際に、前記部品のコーナに接触するように位置づけられる支持棚を備え、それによって、前記ポケット内で前記部品のさらなる下方への移動が妨げられるキャリアテープ。
【請求項１９】
請求項１７のキャリアテープにおいて、前記ポケットはそれぞれ、内部、４つのコーナ及び４つのサイドを有し、前記コーナのそれぞれは一対の部品接触部を備えたコーナガイドを有し、前記部品接触部は前記ポケットの前記内部に向かって傾斜するような斜面上に位置づけられ、各部品接触部は、内部ガイド部、部品設置部及び前記設置部の下方の補助部を備え、該斜面は前記内部ガイド部、前記設置部及び前記補助部を通って連続的であり、それによって、前記部品が前記設置部に係合するとき、前記部品の前記下側周辺コーナのみが前記テープの前記可撓性本体部と接触するキャリアテープ。
【請求項２０】
請求項１９のキャリアテープにおいて、各部品接触部は尾根で交差する直立した第１面及び直立した第２面を備えるキャリアテープ。
【請求項２１】
請求項２０のキャリアテープにおいて、前記第１面及び前記第２面は、各部品接触部が前記ポケットの前記最も近い隣接するコーナに向かって曲がるように位置づけられているキャリアテープ。
【請求項２２】
請求項２１のキャリアテープにおいて、各第２面は前記ポケットサイドをほぼ横断し、該第１面は該第２面と前記最も近いコーナとの中間にあるキャリアテープ。
【請求項２３】
複数の部品を収容するためのキャリアテープを製造する方法であって、各部品は、上面、下面、４つのコーナ、及び、４つの側面を備えた外周を有し、前記４つの側面は、該部品の回りに延びる下側周辺コーナにて前記下面を横断するとともに下面に交差し、前記方法は、
ポリマーの長いストリップ材料を供給する工程であって、前記ストリップは上面及び対向する一対の外側縁を有することと、
該ストリップ材料の前記上面に複数のポケットを形成する工程であって、各ポケットは前記複数の部品のうちの１つを収容するためであり、各ポケットは複数の部品接触部を備え、各接触部は、前記部品が前記ポケット内に位置づけられるとともにその中に適切に設置される際に、前記部品と係合する少なくとも１つの部品接触面を有し、前記接触部の表面はそれぞれ、前記部品が前記ポケット内に適切に設置される際に、前記上面に対して斜めに位置づけられるとともに、前記部品の前記下側周辺コーナと係合するように配置され、前記部品の他の全ての部分は前記可撓性本体部に接触しないことと
を備えるキャリアテープの製造方法。
【請求項２４】
請求項２３の方法において、前記ポケットはポリマーの前記ストリップ材料に前記ポケットをエンボス加工することにより形成されるキャリアテープの製造方法。
【請求項２５】
請求項２３の方法において、さらに前記外側縁の少なくとも１つに沿って複数のスプロケット係合孔を形成する工程を備えるキャリアテープの製造方法。
【発明の詳細な説明】
【技術分野】
【０００１】
この発明は部品キャリアテープに関し、さらに詳細には自動位置合わせポケットを有する部品キャリアテープに関する。
この出願は、２００２年５月１日に出願された米国仮出願Ｎｏ．６０／３７７５３７の利益を主張し、ここにその全体をそのまま参考のために組み入れる。
【背景技術】
【０００２】
最近の半導体は極度に複雑になりつつあり、混入物質、機械的なショック、静電放電及び物理的接触のような外部の影響からのダメージに高度に敏感である。従って、製造に必要な多くの工程段階の間を運搬する際に、デリケートな半導体を保護するため、様々なタイプのキャリアが開発されている。部品を連続的な方法で運ぶようにデザインされたキャリアテープに加え、ひとまとまりの部品を運ぶようにデザインされたマトリックス及びチップトレイを含む様々なタイプのキャリアが、この目的のために開発され、当技術分野で公知となっている。
【０００３】
適切に取り扱われ、かつ運搬されなければならない集積回路部品は、ピングリッドアレイ（ＰＧＡ）、むき出しのダイ、隆起したダイ、非放射状チップスケールパッキング、ボールグリッドアレイ（ＢＧＡ）及び他の無鉛チップパッケージを含む。これらのパッケージは、通常、平坦な上面、平坦な下面を備えた正方形又は長方形の外周を有し、かつ概して比較的薄い平面的なハウジングを有する。４つの側面は、長方形の外周の回りに延びる。下側周辺コーナは、側壁及び下面の内側部分で外周の回りに延びる。
【０００４】
ＢＧＡは、現在のところ、多く出回っている集積回路パッケージである。ＢＧＡ集積回路は、薄い平面的なハウジングと、そのハウジングの下面の複数の外部端子とによって特徴づけられる。各外部端子は、小さなハンダボールから構成されている。前出のピングリッドアレイ集積回路パッケージと同様に、ＢＧＡ集積回路パッケージにおけるハンダボール端子は、２次元配列で配置され得る。しかしながら、ＢＧＡ集積回路パッケージにおける端子密度は、ＰＧＡ集積回路パッケージで達成されるよりも高い。
【０００５】
ＢＧＡ集積回路パッケージを運搬する際には、そのパッケージのハンダボール端子がキャリア装置の表面に接触するのを妨げて、ＢＧＡパッケージに対するダメージを防ぐことが重要である。このニーズに合わせるために、トレイ型のキャリアが開発されている。例えば、本発明の所有者により所有され、参照することにより十分にここに組み入れられている特許文献１の米国特許第５７９１４８６号明細書（ブランバット）において、集積回路部品用のトレイは、部品がその下側周辺コーナにてポケットの底の上方で支持され、かつその部品の端子部分がそのトレイの表面に接触していないポケットデザインを有していることが開示されている。
【特許文献１】米国特許第５７９１４８６号明細書
【発明の開示】
【発明が解決しようとする課題】
【０００６】
しかしながら、業界においてさらに必要とされているのは、キャリアテープであり、該キャリアテープでは、キャリアテープと部品との間の接触が制限された状態で、部品がそのキャリアテープのポケット内に支持可能であり、それによって、その部品の端子が前記テープに接触しないことである。
【課題を解決するための手段】
【０００７】
本発明は、上記業界のニーズに十分に合致する。集積回路部品を保管及び運搬するためのキャリアテープは、集積回路部品を収容するためのポケットが形成されたストリップ材料からなる。ポケットは、通常、正方形又は長方形であり、部品をその下側周辺コーナで点支持し、かつそのデバイス端子がテープのポケット内のいかなる表面とも接触しないコーナデザインを有している。
【０００８】
本発明はまた、ポケットコーナが特許文献１の米国特許第５７９１４８６号明細書に記載の自動位置合わせ機能を有し、かつ仮に部品がポケット内でずれたり反転したりしても前記コーナにて部品を支持するためにフェールセーフ用の棚を備えるキャリアテープ、マトリックストレイ又はチップトレイのためのポケットデザインをも含む。
【０００９】
本発明は、このように、複数の部品の収容及び設置を行うためのキャリアテープを含み、各部品は、上面と、下面と、４つのコーナと、部品の回りに延びる下側周辺コーナにて前記下面を横断するとともに下面に交差する４つの側面を備える外周とを有する。キャリアテープは、上面を有する可撓性本体部を備える。複数のポケットは可撓性本体部に形成され、そのポケットは部品を収容及び閉じ込めるべく位置づけられる。各ポケットは、内部、４つのコーナ及び４つのサイドを有し、コーナのそれぞれは、斜面上に位置づけられる一対の部品接触部を備え、それにより部品接触部がポケットの内部に向かって傾斜する。各部品接触部は、内部ガイド部、部品設置部及びその設置部の下方の補助部を備える。前記斜面は、内部ガイド部、設置部及び補助部を通って連続的であり、それによって、部品が設置部に係合する際に、部品の下側周辺コーナのみが前記可撓性本体部に接触する。
【発明を実施するための最良の形態】
【００１０】
図１及び２に示されているのは、ボールグリッドアレイ（ＢＧＡ）集積回路１０２の形式の部品１００である。部品１００は、４つの側面１０４、上側の平面１０８を有するアッパサイド１０６、及び、下側の平面１１２を備えるボトムサイド１１０を備える。ボトムサイド１１０は、端子１１４の配列を含むことが可能である。部品１００はまた、コーナ１１６を有し、コーナのそれぞれは頂点１１８を有する。下側周辺コーナ１２０は、側面１０４と下側の平面１１２との交差によって形成される。部品１００は、ここではＢＧＡデバイスとして図示されているが、部品１００がピングリッドアレイ（ＰＧＡ）、むき出しのダイ、隆起したダイ、非放射状チップスケールパッケージ、又は他の無鉛チップパッケージのような同様に構成された他の部品であっても勿論構わない。
【００１１】
図３〜７には、本発明のキャリアテープ１２２の好ましい実施形態が示されている。キャリアテープ１２２は、通常、長いストリップ材料１２６の形状の可撓性本体１２４を有し、該可撓性本体において、デバイスポケット１２８は、縦方向に指向する配列で順次配置されている。テープは、上面１２９と、反対の下面（図示略）とを有する。スプロケットホール１３０は、キャリアテープ１２２の一方又は両方の外側縁１３２，１３４に沿って配置され、自動化された装置によってテープを移動可能にする。
【００１２】
デバイスポケット１２８は、対向する一対の側壁１３６、対向する一対の端壁１３８及びポケットボトム１４０により形成される。ポケットコーナ１４２は、後でさらに説明するが、特許文献１の米国特許第５７９１４８６号明細書（ブランバット）に記載されたものとほぼ同様であり、部品の下側周辺コーナ１２０と接触することにより、ポケット１２８内に配置される部品１００の支持を提供する。開口１４４は、ポケットボトム１４０に設けられ、自動輸送装置に対するアクセスを可能にしたり、ポケット１２８内の部品１００を保持するためのバキュームの適用を可能にしたりする。
【００１３】
図３〜７の実施形態において、各ポケットコーナ１４２はコーナガイド１４６を備え、該コーナガイドは接合部１５２で接合する２つの部品係合部１４８，１５０を備えたＶ型に形成される。両部品係合部１４８，１５０は、ポケット１２８の内部１５６に対向する内側の第１面１５４と、概ね直立するとともに尾根１６０で第１面１５４に交差する第２面１５８とを有する。尾根１６０は、内部ガイド部１６４と、設置部１６６と、設置部１６６の下方の補助部１６８とを備える傾いた部品接触部１６２を構成する。尾根１６０は図示されているように丸みを帯びていることが可能である。
【００１４】
内側の第１面１５４及び第２面１５８は、このように、尾根１６０として形作られる交差点を形成するように働き合って、部品１００の下側周辺コーナ１２０を支持するとともに、コーナ１１６を部品係合部１４８，１５０間の中心に置く。さらに具体的には、部品１００がポケット１２８内にセットされると、下側周辺コーナ１２０は、その下側周辺コーナ１２０の下方及び内方へのさらなる移動が尾根１６０に妨げられる点に達するまで、部品係合部１４８，１５０の尾根１６０に沿って下方及び内方へスライドする。内側の面１５４，１５８は、ポケットボトム１４０に関して同じ鏡像の幾何学的配置を有するため、コーナ１１６は、部品係合部１４８，１５０間に中心を置くように静止する。また、設置部１６６で部品に接触すると、コーナ１１６の頂点１１８は接合部１５２から離間し、それによって、部品１００は接合部１５２に触れることはない。
【００１５】
尾根１６０が上面１２９に向かって傾斜しているため、部品係合部１４８，１５０は、隣接するポケットコーナ１４２に向かって引き伸ばされたり曲げられたりする。尾根１６０は直線状に図示されているが、カーブすることも可能である。この尾根１６０の指向性は、尾根が部品の端面に対して直接垂直に指向すること以上に、改善された部品の設置を提供する。ポケットコーナ１４２に向かって曲がる尾根１６０は、適切な設置のために、部品のコーナを前記コーナ１４２の下方及び該コーナ１４２内へと付勢する。
【００１６】
キャリアテープ１２２は、あらゆる適切な高分子材料によって構成可能である。現在のところ、ポリスチレン材料を用いるのが最も好ましく、また現在のところ、その材料には、導電率及び静電気損失能力を備えるようにカーボンが装填されているのが最も好ましい。ポケット１２８は、あらゆる適切な方法により、キャリアテープ１２２に形成可能である。現在のところ、ポケット１２８はエンボス加工されるのが最も好ましい。
【００１７】
作業時に、部品１００はキャリアテープ１２２の各ポケット１２８内に配置可能である。部品がポケット１２８内の設置部１６６に配置されると、部品１００の下側の平面１１２が基板水準１６８と同一平面となり、部品１００の全ての端子１１４がポケットボトム１４０から間隙を介して離れた状態となる。部品１００は、下側周辺コーナ１２０のみでキャリアテープ１２２に接触する。
【００１８】
図８〜１２は、本発明に係るキャリアテープ１２２の現在のところの最も好ましい実施形態を示す。この実施形態において、ポケットコーナ１４２には、上述したように、棚１７０が追加されている。棚１７０は、部品１００がポケット１２８内に配置される間に、部品１００がずれたり反転したりすることに対するフェールセーフ支持としての役目を果たす。
【００１９】
通常の作業時に、ポケット１２８内に配置される部品の下面は、上述し、かつ図１０〜１２に示すように、基板水準１６８と同一平面となる。この位置において、部品１００の下側の平面１１２は、棚１７０に接触しない。しかしながら、仮に部品１００がポケット１２８内で僅かにずれようとすると、部品１００の１つ以上のコーナ１１６が棚１７０に接触し、端子１１４をポケットボトム１４０との接触から依然として離した状態に保持しながら、集積回路部品１００のさらなる下方への移動を妨げる。
【００２０】
棚１７０は、この中に記載されたあらゆるキャリアテープポケットの実施形態で使用可能である。加えて、棚１７０は、この中で参照することによって前もって取り込まれた特許文献１の米国特許第５７９１４８６号明細書のあらゆるポケットコーナの配置に取り込まれ得ることは当然のことである。このように、上述した棚１７０によって提供されるフェールセーフの機能は、マトリックストレイ及びチップトレイのような他のタイプのキャリアにおいても提供され得る。
【００２１】
キャリアテープ１２２の代替の実施形態が図１３〜１６に示されている。図１３〜１５に示す一実施形態において、キャリアテープ１２２はポケットコーナ１７２を備える。ポケットコーナ１７２の両側には部品係合部材１７４がある。一般に、部品係合部材１７４は、ポケットボトム１４０に向かって曲げられた角のある部品接触面１７６を備える。部品１００がポケット１２８内に適切に設置されると、下側の平面１１２がポケットボトム１４０に概ね平行になりながら、側面１０４が突き出た係合部材表面１７８に概ね平行になる。
【００２２】
代替の部品係合部材１８０を備えるキャリアテープ１２２の一実施形態は、図１６に示されている。部品係合部材１８０は、ポケットボトム１４０に向かって曲げられた角のある部品接触面１８２を備える。部品接触部材１８０は、対向する側壁１８４及び対向する端壁１８６の大部分に沿って延びる。集積回路部品１００がポケット１２８内に適切に位置づけられると、下側周辺コーナ１２０は、角のある部品接触面１８２上で平らに静止し、それによって下側の平面１１２がポケットボトム１４０に概ね平行になる。
【００２３】
本発明は、その本質的な特質の精神から外れない限り、他の具体的な形状で具体化され得る。それゆえ、説明された実施形態は、実例として全てを尊重すべく考慮されるべきであるが、限定的に考慮されるべきではない。
【図面の簡単な説明】
【００２４】
【図１】集積回路部品の平面図である。
【図２】図１の集積回路部品の側面図である。
【図３】本発明に係るエンボス加工されたキャリアテープの１つのポケットの斜視図である。
【図３Ａ】図３に示されるポケットのコーナの拡大図である。
【図４】本発明に係るエンボス加工されたキャリアテープの一部の平面図である。
【図５】図２に示される実施形態の縦断面図である。
【図６】図２に示される実施形態の横断面図である。
【図７】図４に示される実施形態のポケットコーナの断面図である。
【図８】本発明のエンボス加工されたキャリアテープの代替の実施形態の１つのポケットの斜視図である。
【図８Ａ】図８に示されるポケットのコーナの拡大図である。
【図９】図６の実施形態の平面図である。
【図１０】図７の実施形態の縦断面図である。
【図１１】図７の実施形態の横断面図である。
【図１２】図９の実施形態のポケットコーナの断面図である。
【図１３】キャリアテープの一実施形態の平面図である。
【図１４】図１３の実施形態の横断面図である。
【図１５】図１４の拡大横断面図である。
【図１６】キャリアテープの代替の実施形態の平面図である。
【図１】
2005531465.tif 000003
【図２】
2005531465.tif 000004
2005531465.tif 000005
【図６】
2005531465.tif 000006
【図７】
2005531465.tif 000007
2005531465.tif 000008
【図３】
2005531465.tif 000009
【図４】
2005531465.tif 000010
【図５】
2005531465.tif 000011
【図８】
2005531465.tif 000012
【図９】
2005531465.tif 000013
【図１０】
2005531465.tif 000014
【図１１】
2005531465.tif 000015
【図１２】
2005531465.tif 000016
【図１３】
2005531465.tif 000017
【図１５】
2005531465.tif 000018
【図１４】
2005531465.tif 000019
【図１６】
2005531465.tif 000020
【手続補正書】
【提出日】平成16年4月19日(2004.4.19)
【手続補正１】
【補正対象書類名】特許請求の範囲
【補正対象項目名】全文
【補正方法】変更
【補正の内容】
【特許請求の範囲】
【請求項１】
部品と、前記部品を収容及び設置するためのキャリアテープとの組合せにおいて、前記部品は、上面、下面、４つのコーナ、及び、４つの側面を備えた外周を有し、前記４つの側面は、該部品の回りに延びる下側周辺コーナにて前記下面を横断するとともに下面に交差し、前記キャリアテープは、
上面を有する可撓性本体部と、
該可撓性本体部内の複数のポケットであって、前記ポケットは該部品を収容及び閉じ込めるべく位置づけられ、各ポケットは内部、４つのコーナ及び４つのサイドを有し、該コーナのそれぞれは、斜面上に位置づけられる一対の部品接触部を備えるコーナガイドを有し、それにより前記部品接触部が前記ポケットの前記内部に向かって傾斜し、各部品接触部は内部ガイド部、部品設置部及び前記設置部の下方の補助部を備え、該斜面は前記内部ガイド部、前記設置部及び前記補助部を通って連続的であることと
を備え、
前記部品が前記ポケット内に収容されるとともに前記設置部に係合するとき、前記部品の前記下側周辺コーナのみが前記可撓性本体部に接触し、かつ前記部品の他の部分は全て前記可撓性本体部に接触しない部品及びキャリアテープの組合せ。
【請求項２】
請求項１に係る部品及びキャリアテープの組合せであって、前記ポケットはさらに尾根で交差する直立した第１面及び直立した第２面を備え、該尾根は前記部品接触部を構成する部品及びキャリアテープの組合せ。
【請求項３】
請求項２に係る部品及びキャリアテープの組合せであって、前記第１面及び前記第２面は、各部品接触部が前記ポケットの前記最も近い隣接するコーナに向かって曲がるように位置づけられている部品及びキャリアテープの組合せ。
【請求項４】
請求項３に係る部品及びキャリアテープの組合せであって、各第２面は前記ポケットサイドをほぼ横断し、該第１面は該第２面と前記最も近いコーナとの中間にある部品及びキャリアテープの組合せ。
【請求項５】
請求項１に係る部品及びキャリアテープの組合せであって、各部品接触部は、前記部品が前記設置位置にあるとき、その部品の前記最も近い下側周辺端面に平行な表面を備えている部品及びキャリアテープの組合せ。
【請求項６】
請求項５に係る部品及びキャリアテープの組合せであって、各部品接触部は該最も近い下側周辺端面の前記長さに実質的に延びる部品及びキャリアテープの組合せ。
【請求項７】
請求項５に係る部品及びキャリアテープの組合せであって、前記部品ポケットの各サイド上には２つの部品接触部があり、該２つの部品接触部は間隙を介して離れている部品及びキャリアテープの組合せ。
【請求項８】
請求項７に係る部品及びキャリアテープの組合せであって、各部品接触部はコーナに隣接する部品及びキャリアテープの組合せ。
【請求項９】
請求項１に係る部品及びキャリアテープの組合せであって、前記部品接触部は支持棚を備え、該棚は前記斜面から延びて前記ポケットの前記内部に向かって傾斜し、それによって、前記部品がずれる際に、前記部品の１つ以上のコーナが前記部品のさらなる下方への移動を妨げるように前記棚に接触する部品及びキャリアテープの組合せ。
【請求項１０】
部品と、前記部品を収容及び設置するためのキャリアテープとであって、前記部品は、上面、下面、４つのコーナ、及び、４つの側面を備えた外周を有し、前記４つの側面は、該部品の回りに延びる下側周辺コーナにて前記下面を横断するとともに下面に交差し、前記キャリアテープは、
複数のポケットが形成された上面を有する可撓性本体部を備え、各ポケットは複数の部品接触部を備え、各接触部は、前記部品が前記ポケット内に位置づけられるとともにその中に適切に設置される際に、前記部品と係合する少なくとも１つの部品接触面を有し、前記接触部の表面はそれぞれ、前記部品が前記ポケット内に適切に設置される際に、前記上面に対して斜めに位置づけられるとともに、前記部品の前記下側周辺コーナと係合するように配置され、前記部品の他の全ての部分は前記可撓性本体部に接触しない部品及びキャリアテープ。
【請求項１１】
請求項１０の部品及びキャリアテープにおいて、前記部品接触部の少なくとも１つは、前記部品がずれる際に、前記部品のコーナに接触するように位置づけられる支持棚を備え、それによって、前記ポケット内で前記部品のさらなる下方への移動が妨げられる部品及びキャリアテープ。
【請求項１２】
請求項１０の部品及びキャリアテープにおいて、前記ポケットはそれぞれ、内部、４つのコーナ及び４つのサイドを有し、前記コーナのそれぞれは一対の部品接触部を備えたコーナガイドを有し、前記部品接触部は前記ポケットの前記内部に向かって傾斜するような斜面上に位置づけられ、各部品接触部は、内部ガイド部、部品設置部、及び、前記設置部の下方の補助部を備え、該斜面は前記内部ガイド部、前記設置部及び前記補助部を通って連続的であり、それによって、前記部品が前記設置部に係合するとき、前記部品の前記下側周辺コーナのみが前記テープの前記可撓性本体部と接触する部品及びキャリアテープ。
【請求項１３】
請求項１２の部品及びキャリアテープにおいて、各部品接触部は尾根で交差する直立した第１面及び直立した第２面を備える部品及びキャリアテープ。
【請求項１４】
請求項１３の部品及びキャリアテープにおいて、前記第１面及び前記第２面は、各部品接触部が前記ポケットの前記最も近い隣接するコーナに向かって曲がるように位置づけられている部品及びキャリアテープ。
【請求項１５】
請求項１４の部品及びキャリアテープにおいて、各第２面は前記ポケットサイドをほぼ横断し、該第１面は該第２面と前記最も近いコーナとの中間にある部品及びキャリアテープ。
【請求項１６】
部品と、前記部品を収容するためのキャリアテープとの組合せにおいて、前記部品は、上面、下面、及び、外周を形成する複数の側面を有し、各側面は、該部品の回りに延びる下側周辺コーナで前記下面に交差し、前記キャリアテープは、
複数のポケットが形成された上面を有する可撓性本体部を備え、各ポケットは、ボトムを有するとともに、前記部品が前記ポケット内に配置されるとき、前記部品がその上に支持されるように前記部品の前記下側周辺コーナと係合する手段を備え、それによって、前記部品の前記下側周辺コーナは前記ボトムから間隙を介して離れるとともに、前記部品の他の全ての部分は前記可撓性本体部に接触しない部品及びキャリアテープ。
【請求項１７】
請求項１６に係るキャリアテープ及び部品であって、該手段は複数の部品接触部を備え、各接触部は、前記部品が前記ポケット内に位置づけられるとともにその中に適切に配置される際に、前記部品と係合する少なくとも１つの部品接触面を有し、前記接触部の表面はそれぞれ、前記部品が前記ポケット内に適切に設置される際に、前記上面に対して斜めに位置づけられるとともに、前記部品の前記下側周辺コーナと係合するように配置されるキャリアテープ及び部品。
【請求項１８】
請求項１７のキャリアテープ及び部品であって、前記部品接触部の少なくとも１つは、前記部品がずれる際に、前記部品のコーナに接触するように位置づけられる支持棚を備え、それによって、前記ポケット内で前記部品のさらなる下方への移動が妨げられるキャリアテープ及び部品。
【請求項１９】
請求項１７のキャリアテープ及び部品において、前記ポケットはそれぞれ、内部、４つのコーナ及び４つのサイドを有し、前記コーナのそれぞれは一対の部品接触部を備えたコーナガイドを有し、前記部品接触部は前記ポケットの前記内部に向かって傾斜するような斜面上に位置づけられ、各部品接触部は、内部ガイド部、部品設置部及び前記設置部の下方の補助部を備え、該斜面は前記内部ガイド部、前記設置部及び前記補助部を通って連続的であり、それによって、前記部品が前記設置部に係合するとき、前記部品の前記下側周辺コーナのみが前記テープの前記可撓性本体部と接触するキャリアテープ及び部品。
【請求項２０】
請求項１９のキャリアテープ及び部品において、各部品接触部は尾根で交差する直立した第１面及び直立した第２面を備えるキャリアテープ及び部品。
【請求項２１】
請求項２０のキャリアテープ及び部品において、前記第１面及び前記第２面は、各部品接触部が前記ポケットの前記最も近い隣接するコーナに向かって曲がるように位置づけられているキャリアテープ及び部品。
【請求項２２】
請求項２１のキャリアテープ及び部品において、各第２面は前記ポケットサイドをほぼ横断し、該第１面は該第２面と前記最も近いコーナとの中間にあるキャリアテープ及び部品。
【国際調査報告】
2005531465.tif 000021